(57)【特許請求の範囲】
【請求項１】
バスタブからの排水とタブ防水パンとからの排水とを行うためにタブ防水パンに形成された排水開口に排水路を接続した浴室ユニットの排水構造において、
前記タブ防水パンの排水開口に底の中心に中心孔が形成されたフランジを取付け、
このフランジ内にバスタブからの排水とを行う筒状部内に形成されたタブ用排水孔とタブ防水パンからの排水を行う下方に突出する突出筒部内に形成されたパン用排水孔とが形成された円筒状の逆流防止本体部を設け、
前記筒状部の上端にバスタブの排水路を構成するエルボを接続するとともに、下端に排水用チューブ体が収められた管体を取付け、
前記チューブ体は、弾性材料から成り、中間部から排水口まで常時内面が密着する密着部を有し、排水時の水圧により密着部の密着状態が解除される一方、チューブ体の排出口からの逆流を密着部の存在により防止するように構成され、
前記突出筒部内に前記チューブ体と同様のチューブ体を収めた管体を取付けてバスタブへの逆流のみならず、タブ防水パンへの逆流も防止するようにしたことを特徴とする浴室ユニットの排水構造。
【請求項２】
洗い場の排水部に排水筒を設け、前記排水路に設けられたトラップにこの排水筒の先端を封水面よりも下方に挿入したことを特徴とする請求項１に記載の浴室ユニットの排水構造。
【発明の詳細な説明】
【０００１】
【発明の属する技術分野】
この発明は、バスタブの下方にタブ防水パンを配設した構造の２重パン方式と呼ばれる浴室ユニットの排水構造に関する。
【０００２】
【従来の技術】
この種の排水構造としては、図７及び図８に示すように、バスタブ１の下方にタブ防水パン２を配設し、タブ防水パン２の排水開口３にエルボ４を接続し、このエルボ４に導管５を接続し、この導管５をトラップ６に接続してある。このトラップ６は洗い場７の排水部８に設けてある。また、バスタブ１の排水孔９にタブ用エルボ１０を接続し、このエルボ１０にホース１１を接続し、このホース１１にエルボ１２を接続してある。前記エルボ４はＬ字状の筒形をなし、その受け入れ口すなわち上部内周面に雌ねじ１００を形成し、この雌ねじ１００にフランジ１０１の雄ねじ１０２がねじ込まれる。このフランジ１０１をエルボ４にねじ込むとタブ防水パン２の排水開口３の周囲部分３Ａがエルボ４とフランジ１０１の外縁で挟まれる。前記エルボ１２にはパイプ１０３を接続し、このパイプ１０３の下端はフランジ１０１の孔１０１Ａに挿入され、パイプ１０３の外径よりもこの孔１０１Ａの径の方が大きく形成されている。また、パイプ１０３の中間部には外方に張り出してフランジ１０１に嵌合する張出板１０４が形成され、この張出板１０４にタブ防水パン２に溜まった水を排出する孔１０４Ａが形成されている。パイプ１０３の張出板１０４の下方にはパイプ１０３に緩く嵌め込まれたフロート１０５が設けられ、エルボ４内の水が孔１０１Ａからフランジ１０１内に流れ込むと、このフロート１０５が浮き上がって孔１０４Ａを塞ぐようになっている。
【０００３】
【発明が解決しようとする課題】
上述したフロート１０５の替りに可動弁を用いたものも知られているが、いずれもバスタブ内への逆流防止策は施されていなかった。例えば、洗い場からの大量排水時にバスタブの清掃後に止水栓を外した状態では、洗い場を清掃した汚れた水がバスタブ内に逆流し、バスタブを汚してしまうことがあった。
また、タブ防水パンへの逆流を防止する手段として、フロート１０５や可動弁を用いたものよりも構造が簡単で取付けも容易な構造が求められていた。
【０００４】
そこで、この発明は、洗い場からの大量排水時にバスタブ内へ逆流せず、バスタブからの大量排水時にタブ防水パンへ逆流しないようにした浴室ユニットの排水構造を提供することを目的とする。また、バスタブからの排水時やタブ防水パンからの排水時に排水のみを可能とし、逆流を防止する構造の簡単なかつ取付けも容易な浴室ユニットの排水構造を提供することを目的とする。
【０００５】
上述の目的を達成するため、この発明は、バスタブからの排水とタブ防水パンとからの排水とを行うためにタブ防水パンに形成された排水開口に排水路を接続した浴室ユニットの排水構造において、前記タブ防水パンの排水開口に底の中心に中心孔が形成されたフランジを取付け、このフランジ内にバスタブからの排水とを行う筒状部内に形成されたタブ用排水孔とタブ防水パンからの排水を行う下方に突出する突出筒部内に形成されたパン用排水孔とが形成された円筒状の逆流防止本体部を設け、前記筒状部の上端にバスタブの排水路を構成するエルボを接続するとともに、下端に排水用チューブ体が収められた管体を取付け、前記チューブ体は、弾性材料から成り、中間部から排水口まで常時内面が密着する密着部を有し、排水時の水圧により密着部の密着状態が解除される一方、チューブ体の排出口からの逆流を密着部の存在により防止するように構成され、前記突出筒部内に前記チューブ体と同様のチューブ体を収めた管体を取付けてバスタブへの逆流のみならず、タブ防水パンへの逆流も防止するようにしたものである。また、洗い場の排水部に排水筒を設け、前記排水路に設けられたトラップにこの排水筒の先端を封水面よりも下方に挿入したものである。
【０００６】
【発明の実施の形態】
以下に、この発明の好適な実施例を図面を参照にして説明する。
【０００７】
図１に示す実施例では、従来と同様にバスタブ１（図７参照）とその下方に設置したタブ防水パン２とからの排水を行うため、タブ防水パン２の排水開口３にフランジ１０１を設け、このフランジ１０１と排水路を形成するエルボ４とでタブ防水パン２の周囲部分３Ａを挟んでいる。エルボ４の排水受け入れ口側の内周面に雌ねじ１００を形成し、この雌ねじ１００にフランジ１０１の雄ねじ１０２がねじ込まれ、タブ防水パン２の排水開口３の周囲部分３Ａがエルボ４とフランジ１０１の夫々の外縁４Ａ，１０１Ｂで挟まれるようになっている。この周囲部分が挟まれる個所にはパッキン３Ｂを設け、この個所からの水漏れを防止するようになっている。
【０００８】
図１では示さないがバスタブ１の排水孔９（図７参照）には、従来と同様にタブ用エルボ１０を接続し、このタブ用エルボ１０にホース１１を接続し、このホース１１にエルボ１２を接続してある。このエルボ１２にチューブ体１３を収容した管体１４を取付けてある。この管体１４の先端は、フランジ１０１の底１５に形成された孔１６に挿入されている。チューブ体１３は、弾性材料から成り、中間部から排出口まで常時内面が密着し（密着部１３Ａ）、排水時の水圧によりこの密着状態が解除される一方、チューブ体１３の排出口からの逆流を密着部１３Ａの存在により防止するようになっている。このチューブ体１３の少なくとも一部は、排水開口３から排水路を構成するエルボ４に至るように配設してある。したがって、バスタブ１からの排水は、タブ用エルボ１０、ホース１１、エルボ１２、チューブ体１３を通って排水路に排出される。なお、チューブ体１３を長く形成し、バスタブ１に直接取付けることも可能である。さらに、チューブ体１３を管体１４に収めずに、直接用いることもできる。
【０００９】
図２は、フランジ１０１の平面図であり、底１５に１つの孔１６の他にタブ防水パン２の排水を行うための３つの孔１７を形成してある。これらの孔１７は、中央に長方形状の孔を形成し、その上下に半円形の孔を設け、各孔との間には仕切り１７Ａがあり、この仕切り１７Ａがあるために大きなゴミの排出を防止できるようになっている。
【００１０】
前記エルボ４はトラップ６を形成する部分まで一体成形され、このトラップ６の個所には封水筒４０を設けてある。この封水筒４０は洗い場７の排水部８の個所に設けてある。この排水部８の個所もフランジ２０１をトラップ６の上部開口内周面にねじ込み、洗い場７の排水部８の外周縁を挟み込んである（フランジ１０１と同様の構成としてある）。図１において符号Ｍは封水面を示す。なお、エルボ４とトラップ６とを一体に成形せず、別々に成形し、両者をパイプなどで接続してもよい。
【００１１】
図３は、フランジ１０１の底１５の中心に中心孔１８を形成し、この中心孔１８の周縁部１８Ａ上にバスタブ１からの排水とタブ防水パン２からの排水とを行うタブ用排水孔２１とパン用排水孔２２とが形成された短い円筒状の逆流防止本体部２０を載置したものである。タブ用排水孔２１は筒状部１９内に形成され、この筒状部１９の上端にエルボ１２を接続し、筒状部１９の下端にチューブ体１３が収められた管体１４を取付けてある。この本体部２０の外周にはシール用パッキン２３が設けられ、フランジ１０１の内周面に圧接する。
【００１２】
図４は、逆流防止本体部２０の平面図であり、パン用排水孔２２は、上述した孔１７と同様に仕切り２２Ａで区画された３つの孔から成る。仕切り２２Ａで仕切られた３つの孔からパン用排水孔２２を形成したのは、大きなゴミの排出を防止し、排水路がつまるのを防止するためである。
【００１３】
図５は、逆流防止本体部２０の一部破断の正面図であり、チューブ体１３が収められた管体１４を取付けた状態を示す。バスタブ１からの排水は、逆流防止本体部２０のタブ用排水孔２１からチューブ体１３を通って排水路に排水される。タブ防水パン２からの排水は、逆流防止本体部２０のパン用排水孔２２から排水される。
【００１４】
図６に示す実施例は、逆流防止本体部２０のパン用排水孔２２を下方に突出する突出筒部２４内に形成し、この突出筒部２４にチューブ体１３が収められた管体１４を取付けたものである。この例では、タブ用排水孔２１にはチューブ体１３を設けておらず、タブ防水パン２への逆流のみを防止している。タブ用排水孔２１とパン用排水孔２２との両方にチューブ体１３を設けてもよいことは勿論である。
【００１５】
【発明の効果】
以上説明したように、この発明によれば、バスタブからの排水とタブ防水パンとからの排水とを行うためにタブ防水パンに形成された排水開口に排水路を接続した浴室ユニットの排水構造において、前記タブ防水パンの排水開口に底の中心に中心孔が形成されたフランジを取付け、このフランジ内にバスタブからの排水とを行う筒状部内に形成されたタブ用排水孔とタブ防水パンからの排水を行う下方に突出する突出筒部内に形成されたパン用排水孔とが形成された円筒状の逆流防止本体部を設け、前記筒状部の上端にバスタブの排水路を構成するエルボを接続するとともに、下端に排水用チューブ体が収められた管体を取付け、前記チューブ体は、弾性材料から成り、中間部から排水口まで常時内面が密着する密着部を有し、排水時の水圧により密着部の密着状態が解除される一方、チューブ体の排出口からの逆流を密着部の存在により防止するように構成され、前記突出筒部内に前記チューブ体と同様のチューブ体を収めた管体を取付けてバスタブへの逆流のみならず、タブ防水パンへの逆流も防止するようにしたので、バスタブ内に水が溜まっている状況ではタブ防水パンからの排水が行われ、バスタブや洗い場を掃除する場合に、バスタブの水を排水し終えた後に、洗い場に大量の水を流したときに、この水が逆流してバスタブ内に入り込む恐れはなくなる。また、逆流防止をチューブ体で行うため、構造が極めて簡単となり、このチューブ体の取付けも容易である。
【００１６】
また、タブ防水パンの排水開口にパン用排水孔とタブ用排水孔が形成された逆流防止本体部を取付け、バスタブの排水口からの排水を行うタブ用排水口に前記チューブ体を取付けたので、チューブ体を予め円筒状の逆流防止本体部に取付けておき、この逆流防止本体部を排水開口にセットするだけで逆流防止を図ることができる。
【００１７】
さらに、パン用排水孔にもチューブ体を取付けてあるので、タブ用防水パンへの逆流を防止できる。この発明では、パン用排水孔及びタブ用排水孔の両方にチューブ体を取付けてあるため、バスタブ及びタブ防水パンのいずれにも逆流を生じさせない。
【図面の簡単な説明】
【図１】この発明の好適な実施例を示す要部の断面図。
【図２】フランジの平面図。
【図３】逆流防止本体部を用いた他の実施例を示す要部の断面図。
【図４】逆流防止本体部の平面図。
【図５】逆流防止本体部にチューブ体を取付けた状態の正面図。
【図６】パン用排水口にチューブ体を取付けた実施例を示す要部の断面図。
【図７】従来例を示す断面図。
【図８】従来例の排水構造部分を示す断面図。
【符号の説明】
１  バスタブ
２  タブ防水パン
３  排水開口
４  エルボ（排水路）
６  トラップ
７  洗い場
９  バスタブの排水孔
１３  チューブ体
１３Ａ  密着部
２０  逆流防止本体部
２１  タブ用排水孔
２２  パン用排水孔
【図１】
0004420144.tif 000002
【図２】
0004420144.tif 000003
【図３】
0004420144.tif 000004
【図４】
0004420144.tif 000005
【図５】
0004420144.tif 000006
【図６】
0004420144.tif 000007
【図７】
0004420144.tif 000008
【図８】
0004420144.tif 000009